(57)【要約】  行先階登録時の操作性及び行先階登録の操作時における視認性を向上することができるエレベータの操作盤を提供する。このため、エレベータのかご及び乗場の少なくとも一方に設けられた第１タッチパネルと、第１タッチパネルに近接して設けられた第２タッチパネルと、エレベータのサービス階の優先順位を判定する判定装置と、第１タッチパネルに、テンキーを示す入力画像を表示させ、テンキーを示す入力画像から数字が入力された場合に、第２タッチパネルに、数字を最上位の桁とするサービス階の中で、判定装置により優先順位の高い階と判定されたサービス階を示す画像を、エレベータの行先階を登録するための入力画像として、予め設定された優先階表示数だけ表示させる表示制御装置とを備えた。
2010089869.tif 000002
【特許請求の範囲】
【請求項１】
エレベータのかご及び乗場の少なくとも一方に設けられた第１タッチパネルと、
前記第１タッチパネルに近接して設けられた第２タッチパネルと、
前記エレベータのサービス階の優先順位を判定する判定装置と、
前記第１タッチパネルに、テンキーを示す入力画像を表示させ、前記テンキーを示す入力画像から数字が入力された場合に、前記第２タッチパネルに、前記数字を最上位の桁とするサービス階の中で、前記判定装置により優先順位の高い階と判定されたサービス階を示す画像を、前記エレベータの行先階を登録するための入力画像として、予め設定された優先階表示数だけ表示させる表示制御装置と、
を備えたエレベータの操作盤。
【請求項２】
前記表示制御装置は、
前記テンキーを示す入力画像から入力された数字を最上位の桁とするサービス階の数が、前記優先階表示数よりも大きい数で予め設定された数以下の場合に、
前記第２タッチパネルに、前記テンキーを示す入力画像から入力された数字を最上位の桁とする全てのサービス階のうちの一部の階を、前記エレベータの行先階を登録するための入力画像として表示させるとともに、
前記第１タッチパネルに、前記テンキーを示す入力画像を消去させ、前記テンキーを示す入力画像から入力された数字を最上位の桁とする全てのサービス階のうちで、前記第２タッチパネルに表示させた一部の階以外の階を、前記エレベータの行先階を登録するための入力画像として表示させることを特徴とする請求項１記載のエレベータの操作盤。
【請求項３】
前記表示制御装置は、前記第１タッチパネルに、前記テンキーを示す入力画像を表示させるとともに、前記テンキーを示す入力画像からの入力を無効にするための入力画像を表示させることを特徴とする請求項１記載のエレベータの操作盤。
【請求項４】
前記表示制御装置は、
前記第１及び第２タッチパネルの少なくとも一方に、前記第１タッチパネルの表示を、前記エレベータの行先階を登録するための入力画像の表示から前記テンキーを示す入力画像の表示に戻すための入力画像を表示させることを特徴とする請求項２記載のエレベータ操作盤。
【発明の詳細な説明】
【技術分野】
【０００１】
この発明は、エレベータの操作盤に関するものである。
【背景技術】
【０００２】
エレベータの操作盤において、行先ボタン群と共に、この行先ボタンに対応した階床のうち、多利用階を判定して優先行先ボタン表示領域を設定するものが提案されている（例えば、特許文献１参照）。
また、０から９までのボタンを配置したテンキー操作方式の行先操作盤も提案されている（例えば、特許文献２参照）。
さらに、テンキー操作方式の乗場操作盤も提案されている（例えば、特許文献３参照）。【０００３】
【特許文献１】日本特開２００５−１６２４６５号公報
【特許文献２】日本特開平８−１７５７７０号公報
【特許文献３】日本特開２００１−２８７８７６号公報
【発明の開示】
【発明が解決しようとする課題】
【０００４】
しかし、特許文献１記載のものは、近年の建築技術向上に伴う高層化による膨大なサービス階の中から、数個の優先階しか表示することができない。このため、優先階以外のサービス階を行先階として登録する場合、行先ボタン群を順々に切換えなければならず、行先階登録の操作性が悪いという問題があった。
また、特許文献２及び３に記載されたものは、各階の階床情報を表示することができず、例えば、二桁の階等、行先階そのものを示すボタン操作で、行先階を登録することができない。このため、行先階登録の操作時における視認性が悪いという問題があった。【０００５】
この発明は、上述のような課題を解決するためになされたもので、その目的は、行先階登録時の操作性及び行先階登録の操作時における視認性を向上することができるエレベータの操作盤を提供することである。
【課題を解決するための手段】
【０００６】
この発明に係るエレベータの操作盤は、エレベータのかご及び乗場の少なくとも一方に設けられた第１タッチパネルと、前記第１タッチパネルに近接して設けられた第２タッチパネルと、前記エレベータのサービス階の優先順位を判定する判定装置と、前記第１タッチパネルに、テンキーを示す入力画像を表示させ、前記テンキーを示す入力画像から数字が入力された場合に、前記第２タッチパネルに、前記数字を最上位の桁とするサービス階の中で、前記判定装置により優先順位の高い階と判定されたサービス階を示す画像を、前記エレベータの行先階を登録するための入力画像として、予め設定された優先階表示数だけ表示させる表示制御装置とを備えたものである。
【発明の効果】
【０００７】
この発明によれば、行先階登録時の操作性及び行先階登録の操作時における視認性を向上することができる。
【図面の簡単な説明】
【０００８】
【図１】この発明の実施の形態１におけるエレベータの操作盤の基本構成を説明するためのブロック図である。
【図２】この発明の実施の形態１におけるエレベータの操作盤の全体構成を説明するためのブロック図である。
【図３】この発明の実施の形態１におけるエレベータの操作盤の初期状態を説明するための優先階判定用表を示す図である。
【図４】この発明の実施の形態１におけるエレベータの操作盤の初期状態を説明するためのディスプレイの正面図である。
【図５】この発明の実施の形態１におけるエレベータの操作盤の初期状態の表示動作を説明するためのフローチャートである。
【図６】この発明の実施の形態１におけるエレベータの操作盤が行う優先階表示の切換えを説明するための優先階判定用表を示す図である。
【図７】この発明の実施の形態１におけるエレベータの操作盤が行う優先階表示の切換えを説明するためのディスプレイの正面図である。
【図８】この発明の実施の形態１におけるエレベータの操作盤が行う優先階表示の切換え動作を説明するためのフローチャートである。
【図９】この発明の実施の形態２におけるエレベータの操作盤を説明するためのブロック図である。
【図１０】この発明の実施の形態２におけるエレベータの操作盤が行う優先階表示の切換えを説明するための優先階判定用表を示す図である。
【図１１】この発明の実施の形態２におけるエレベータの操作盤が行う優先階表示の切換えを説明するためのディスプレイの正面図である。
【図１２】この発明の実施の形態２におけるエレベータの操作盤が行う優先階表示の切換え動作を説明するためのフローチャートである。
【符号の説明】
【０００９】
１  エレベータ、  ２  行先操作盤、  ３  ディスプレイ、
４  階床優先順位判定装置、  ５  優先階表示数格納装置、
６  優先階表示決定装置、  ７  表示制御装置、  ８  操作可能階判定装置、
９  優先階判定用表、  １０  第１タッチパネル、  １１  第２タッチパネル、
１２  優先階判定用表、  １３  入力画像、  １４  画面切換え判定装置、
１５  優先階判定用表、  １６  入力画像
【発明を実施するための最良の形態】
【００１０】
この発明を実施するための最良の形態について添付の図面に従って説明する。なお、各図中、同一又は相当する部分には同一の符号を付しており、その重複説明は適宜に簡略化ないし省略する。【００１１】
実施の形態１．
図１はこの発明の実施の形態１におけるエレベータの操作盤の基本構成を説明するためのブロック図である。
図１において、１はエレベータである。このエレベータ１は、建築物に設けられる。このエレベータ１の昇降路は、建築物の各階を貫く。この昇降路内には、エレベータ１のかごが配置される。また、各階の昇降路近傍には、エレベータ１の乗場が設けられる。そして、かごが、昇降路内を昇降する。これにより、かご内の乗客は、各乗場間を移動できる。【００１２】
２は行先操作盤である。この行先操作盤２は、かご内に設けられる。この行先操作盤２は、ディスプレイ３、階床優先順位判定装置４、優先階表示数格納装置５、優先階表示決定装置６、表示制御装置７を備える。ディスプレイ３は、互いに近接した第１及び第２タッチパネルを備える。階床優先順位判定装置４は、エレベータ１の全サービス階の優先順位を判定する機能を備える。例えば、全サービス階の優先順位は、過去１ヶ月のエレベータ１の運行結果に基づいて判定される。ただし、サービス階の優先順位の決め方について、特に、限定する必要はない。【００１３】
優先階表示数格納装置５は、ディスプレイ３の表示制御パラメータとして、第２タッチパネルに同時に表示させる優先階表示の個数を格納する機能を備える。優先階表示決定装置６は、サービス階の優先順位と優先階表示の個数に基づいて、第２タッチパネルに同時に表示すべき階を決定する機能を備える。表示制御装置７は、第２タッチパネルに、優先階表示決定装置６が決定した階を示す画像を、エレベータ１の行先階を登録するための入力画像として表示させる機能を備える。【００１４】
図２はこの発明の実施の形態１におけるエレベータ１の操作盤の全体構成を説明するためのブロック図である。
本実施の形態において、表示制御装置７は、第１タッチパネルに、テンキーを示す入力画像を表示させる機能を備える。
さらに、行先操作盤２は、操作可能階判定装置８を備える。この操作可能階判定装置８は、第１タッチパネルのテンキーを示す入力画像から数字が入力された場合に、入力された数字を最上位の桁とする階を今後操作可能な階と判定する機能を備える。【００１５】
このとき、優先階表示決定装置６は、サービス階の優先順位と今後操作可能な階とに基づいて、第２タッチパネルに表示すべき階を決定するように機能する。具体的には、第１タッチパネルのテンキーを示す入力画像から入力された数字を最上位の桁とするサービス階の中で優先順位の高い階が、表示すべき階として決定される。そして、表示制御装置７は、第２タッチパネルの表示を、優先階表示決定装置６が決定した表示すべき階を示す画像に切換えるように機能する。【００１６】
次に、図３乃至図５を用いて、テンキーを示す入力画像から数字が入力される前のディスプレイ３の表示を説明する。
図３はこの発明の実施の形態１におけるエレベータの操作盤の初期状態を説明するための優先階判定用表を示す図である。
図３において、９は優先階判定用表である。この優先階判定用表９は、優先階表示決定装置６内に生成される。この優先階判定用表９には、各サービス階とその優先順位が示される。具体的には、サービス階の総数は３０である。本実施の形態においては、優先階表示数格納装置５が優先階表示の個数として「３」を格納している。従って、優先階表示決定装置６は、優先順位が１番から３番目の階である８階、２階、２０階を、第２タッチパネルに同時に表示させる階と決定する。【００１７】
図４はこの発明の実施の形態１におけるエレベータの操作盤の初期状態を説明するためのディスプレイの正面図である。
図４において、１０は第１タッチパネルである。１１は第２タッチパネルである。本実施の形態では、第１タッチパネル１０及び第２タッチパネル１１は、ひとつのディスプレイ３の表示領域を分割して構成される。具体的には、第１タッチパネル１０は、ディスプレイ３の表示画面の上部で、テンキーボタン領域を形成する。この第１タッチパネル１０には、テンキーを示す入力画像が表示される。【００１８】
一方、第２タッチパネル１１は、ディスプレイ３の表示画面の下部で、優先階表示領域を形成する。この優先階表示領域には、優先順位の高い８階、２階、２０階を示す画像が、エレベータ１の行先階を登録するための入力画像として表示される。具体的には、これらの優先順位の高い階を示す入力画像は、小さい数の階から順番に、上側から２階、８階、２０階の順で表示される。これらの入力画像には、階数を示す数字のほかに、当該階にある施設名等も表示される。これにより、エレベータ１の利用者は、階数だけでなく施設名等からも、所望の行先階を特定できるようになっている。このため、各階を示す入力画像は、ある程度の表示面積で横長の領域を必要としている。【００１９】
図５はこの発明の実施の形態１におけるエレベータの操作盤の初期状態の表示動作を説明するためのフローチャートである。
ステップＳ１で、階床優先順位判定装置４により、サービス階の中から優先階が判定される。そして、優先階が、第２タッチパネル１１、即ち、優先階表示領域に表示され、動作が終了する。【００２０】
次に、図６乃至図８を用いて、テンキーを示す入力画像から数字が入力された後のディスプレイ３の表示を説明する。
図６はこの発明の実施の形態１におけるエレベータの操作盤が行う優先階表示の切換えを説明するための優先階判定用表を示す図である。
図６において、１２は優先階判定用表である。この優先階判定用表１２は、テンキーを示す入力画像の「２」が押下された場合の操作可能な階を示すものである。【００２１】
ここで、二重取り消し線は、サービスカット階を示す。具体的には、２２階及び２３階がサービスカット階となっている。この場合、操作可能階判定装置８により、「２」を最上位の桁とするサービス階が今後操作可能な階として判定される。即ち、表２の塗りつぶし部分は、今後操作可能な階から除外される。さらに、優先階表示決定装置６により、今後操作可能な階の中で、優先順位が高く、サービスカット階でない階が、切換え表示されるべき階として決定される。【００２２】
上述したように、本実施の形態においては、優先階表示数格納装置５が優先階の個数として「３」を格納している。即ち、表示されるべき階の個数は、３個である。そして、今後操作可能な階で、サービスカット階でない階の中で、１〜３番目に優先順位の高いサービス階は、２階、２０階、２７階である。このため、優先階表示決定装置６により、切換え表示されるべき階が、２階、２０階、２７階に決定される。【００２３】
図７はこの発明の実施の形態１におけるエレベータの操作盤が行う優先階表示の切換えを説明するためのディスプレイの正面図である。
上述したように、切換え表示されるべき階は、２階、２０階、２７階である。このため、優先階を示す２階、８階、２０階を示す入力画像の表示が、２階、２０階、２７階を示す入力画像に切換えられる。このとき、表示制御装置７は、第１タッチパネル１０に、テンキーを示す入力画像からの入力を無効にするための入力画像１３を表示させる。具体的には、この入力表示１３は、「取消」と表示される。【００２４】
図８はこの発明の実施の形態１におけるエレベータの操作盤が行う優先階表示の切換え動作を説明するためのフローチャートである。
まず、ステップＳ１１は、図７のステップＳ１と同様のステップである。即ち、ステップＳ１１では、サービス階の中から優先階が判定される。そして、優先階は、ディスプレイ３の優先階表示領域に表示される。その後、ステップＳ１２に進む。ステップＳ１２では、優先階表示領域に該当する階床、即ち、サービス階があるか否かが判断される。そして、優先階表示領域に該当するサービス階がある場合、ステップＳ１３で、エレベータ１の利用者は、第２タッチパネル１１内、即ち、優先階表示領域内にある該当サービス階を示す入力画像を押下する。この押下により、所望の行先階が登録される。【００２５】
一方、ステップＳ１２で、第２タッチパネル１１の優先階表示領域に該当するサービス階がない場合、ステップＳ１４で、エレベータ１の利用者は、第１タッチパネル１０、即ち、テンキーボタン領域内のテンキーを示す入力画像の中で、所望の行先階の最上位の桁を示す入力画像を押下する。その後、ステップＳ１５で、操作可能階判定装置８が、押下された数字を最上位の桁とする階を今後操作可能な階と判定し、ステップＳ１１に戻る。そして、ステップＳ１１では、優先階表示決定装置６は、サービス階の優先順位と今後操作可能な階とに基づいて、第２タッチパネル１１に表示すべき階を決定する。また、表示制御装置７が、優先階表示領域の表示を、優先階表示決定装置６が決定した表示すべき階を示す入力画像に切換える。その後は、上記で説明した動作が繰り返される。【００２６】
以上で説明した実施の形態１によれば、表示制御装置７は、第１タッチパネル１０に、テンキーを示す入力画像を表示させる。また、表示制御装置７は、テンキーを示す入力画像から数字が入力された場合に、第２タッチパネル１１に、入力された数字を最上位の桁とするサービス階の中で、優先順位の高いサービス階を示す画像を、エレベータ１の行先階を登録するための入力画像として、優先階表示の個数だけ表示させる。このため、行先階登録時の操作性及び行先階登録の操作時における視認性を向上することができる。【００２７】
また、表示制御装置７は、第１タッチパネル１０に、テンキーを示す入力画像を表示させるとともに、テンキーを示す入力画像からの入力を無効にするための入力画像を表示させる。このため、テンキーを示す入力画像からの誤入力を解除することができる。【００２８】
実施の形態２．
図９はこの発明の実施の形態２におけるエレベータの操作盤を説明するためのブロック図である。なお、実施の形態１と同一又は相当部分には同一符号を付して説明を省略する。
実施の形態１における優先階表示数格納装置５は、パラメータとして、優先階表示個数を格納していた。一方、実施の形態２における優先階表示数格納装置５は、パラメータとして、優先階表示個数とともに、画面切換個数を格納している。この画面切換個数は、優先階表示個数よりも大きい数に予め設定される。【００２９】
また、本実施の形態において、行先操作盤２には、画面切換え判定装置１４が新たに付加される。この画面切換え判定装置１４は、テンキーを示す入力画像から入力された数字を最上位の桁とするサービス階で、サービスカット階でない階の数が、画面切換個数以下の場合に、表示制御装置７に所定の指示を行う機能を備える。具体的には、画面切換え判定装置１４は、第１及び第２タッチパネル１１の双方を利用して、テンキーを示す入力画像から入力された数字を最上位の桁とするサービス階で、サービスカット階でない全ての階の各々を示す登録画像を表示させるように、表示制御装置７に指示する。【００３０】
そして、上記指示を受けた表示制御装置７は、第２タッチパネル１１に、テンキーを示す入力画像から入力された数字を最上位の桁とする全てのサービス階のうちの一部の階を、エレベータ１の行先階の登録するための入力画像として表示させる。また、これと同時に、表示制御装置７は、第１タッチパネル１０に、テンキーを示す入力画像を消去させ、テンキーを示す入力画像から入力された数字を最上位の桁とする全てのサービス階のうちで、第２タッチパネル１１に表示させた一部の階以外の階を、エレベータ１の行先階を登録するための入力画像として表示させる。【００３１】
次に、図１０及び図１１を用いて、ディスプレイ３の表示の切換えを説明する。
図１０はこの発明の実施の形態２におけるエレベータ１の操作盤が行う優先階表示の切換えを説明するための優先階判定用表を示す図である。
図１０において、１５は優先階判定用表である。この優先階判定用表１５は、テンキーを示す入力画像の「２」が押下された場合の操作可能な階を示すものである。ここで、二重取り消し線は、サービスカット階を示す。具体的には、２２階乃至２６階がサービスカット階となっている。この場合、「２」を最上位の桁とするサービス階で、サービスカット階でない階は、２階、２０階、２１階、２７階、２９階である。【００３２】
図１１はこの発明の実施の形態２におけるエレベータの操作盤が行う優先階表示の切換えを説明するためのディスプレイの正面図である。
図１１には、画面切替個数が「５」に設定されている場合のディスプレイ３が示される。上述したように、「２」を最上位の桁とするサービス階で、サービスカット階でない階は、２階、２０階、２１階、２７階、２９階である。即ち、表示されるべき階は、５つである。また、画面切換個数は、「５」に設定されている。即ち、テンキーを示す入力画像から入力された数字を最上位の桁とするサービス階で、サービスカット階でない階の数が、画面切換個数以下となっている。【００３３】
従って、画面切換え判定装置１４は、表示制御装置７に所定の指示を行う。上記指示を受けた表示制御装置７は、第１タッチパネル１０に、２階、２０階、２１階を示す画像を、エレベータ１の行先階を登録するための入力画像として表示させる。また、これと同時、表示制御装置７は、第２タッチパネル１１に、２７階、２９階を、エレベータ１の行先階を登録するための入力画像として表示させる。このとき、表示制御装置７は、第２タッチパネル１１の下部に、第１タッチパネル１０の表示を、エレベータ１の行先階を登録するための入力画像の表示からテンキーを示す入力画像１６の表示に戻すための入力画像を表示させる。具体的には、この入力表示１６は、「戻る」と表示される。この入力表示１６は、適宜、第１タッチパネル１０に表示されてもよい。【００３４】
次に、図１２を用いて、エレベータ１の操作盤の表示動作を説明する。
図１２はこの発明の実施の形態２におけるエレベータの操作盤が行う優先階表示の切換え動作を説明するためのフローチャートである。
まず、ステップＳ２１で、サービス階数が判定される。サービス階数が画面切換個数Ｎ以上の場合は、ステップＳ２２に進む。ステップＳ２２では、第１タッチパネル１０に、テンキーボタン領域が表示される。また、これと同時に、優先階表示領域が表示され、ステップＳ２３に進む。【００３５】
ステップＳ２３では、サービス階の中から優先階が判定される。そして、優先階は、ディスプレイ３の優先階表示領域に表示され、ステップＳ２４に進む。ステップＳ２４では、優先階表示領域に該当する階床があるか否かが判断される。そして、優先階表示領域に該当するサービス階がある場合、ステップＳ２５で、エレベータ１の利用者は、優先階表示領域内にある該当サービス階を示す入力画像を押下する。【００３６】
一方、ステップＳ２４で、優先階表示領域に該当するサービス階がない場合、ステップＳ２６で、エレベータ１の利用者は、テンキーボタン領域内のテンキーを示す入力画像を押下する。その後、ステップＳ２７で、操作可能階判定装置８が、押下された数字を最上位の桁とする階を今後操作可能な階と判定し、ステップＳ２１に戻って、上記動作を繰り返す。【００３７】
また、ステップＳ２１で、サービス階数が画面切換個数Ｎ未満の場合は、ステップＳ２８に進む。ステップＳ２８では、テンキーボタン領域が非表示になる。そして、第２タッチパネル１１には、テンキーを示す入力画像から入力された数字を最上位の桁とする全てのサービス階のうちの一部の階を示す画像が、エレベータ１の行先階の登録するための入力画像として表示される。また、これと同時に、第１タッチパネル１０には、テンキーを示す入力画像から入力された数字を最上位の桁とする全てのサービス階のうちで、第２タッチパネル１１に表示させた一部の階以外の階が、エレベータ１の行先階を登録するための入力画像として表示される。【００３８】
そして、ステップＳ２９で、第１タッチパネル１０又は第２タッチパネル１１に、該当するサービス階の入力画像があるか否かが判断される。第１タッチパネル１０又は第２タッチパネル１１に、該当するサービス階の入力画像がある場合、エレベータ１の利用者は、ステップＳ２５で、優先階表示領域内にある該当サービス階を示す入力画像を押下する。この押下により、所望の行先階が登録される。一方、第１又は第２タッチパネル１１に、該当するサービス階の登録画像がない場合は、エレベータ１の利用者は、ステップＳ３０で、「戻る」を押下し、スタートに戻って、上記動作が繰り返される。【００３９】
以上で説明した実施の形態２によれば、表示制御装置７は、テンキーを示す入力画像から入力された数字を最上位の桁とするサービス階の数が、優先階表示数よりも大きい数で予め設定された数以下の場合に、第２タッチパネル１１に、テンキーを示す入力画像から入力された数字を最上位の桁とする全てのサービス階のうちの一部の階を、エレベータ１の行先階を登録するための入力画像として表示させる。また、これと同時に、表示制御装置７は、第１タッチパネル１０に、テンキーを示す入力画像を消去させ、テンキーを示す入力画像から入力された数字を最上位の桁とする全てのサービス階のうちで、第２タッチパネル１１に表示させた一部の階以外の階を、エレベータ１の行先階を登録するための入力画像として表示させる。このため、行先階登録時の操作性及び行先階登録の操作時における視認性をより向上することができる。【００４０】
また、表示制御装置７は、第１及び第２タッチパネル１０、１１の少なくとも一方に、第１タッチパネル１０の表示を、テンキーを示す入力画像の表示に戻すための入力画像を表示させる。このため、テンキーを示す入力画像からの誤入力を解除することができる。【００４１】
なお、実施の形態１及び２においては、かご内に設けられた行先操作盤２について説明した。しかし、乗場に設けられた乗場操作盤を同様の構成にすれば、実施の形態１及び２の行先操作盤２と同様の効果が得られる。【００４２】
また、実施の形態１及び２においては、行先操作盤２のディスプレイ３上で、テンキーからの数字の入力や行先階の登録をする構成とした。しかし、機械式テンキーボタン、機械式優先階ボタン、表示装置を用いても、同様の効果が得られる構成を構築できる。この場合、表示装置を優先階ボタンに隣接して配置し、この表示装置に、機械式テンキーボタンから入力された数字を最上位の桁とするサービス階の中で、優先順位の高いサービス階を示す画像を表示すればよい。
【産業上の利用可能性】
【００４３】
以上のように、この発明に係るエレベータの操作盤によれば、エレベータの乗場又はかごを備えたエレベータに利用できる。
【図１】
2010089869.tif 000003
【図２】
2010089869.tif 000004
【図３】
2010089869.tif 000005
【図４】
2010089869.tif 000006
【図５】
2010089869.tif 000007
【図６】
2010089869.tif 000008
【図７】
2010089869.tif 000009
【図８】
2010089869.tif 000010
【図９】
2010089869.tif 000011
【図１０】
2010089869.tif 000012
【図１１】
2010089869.tif 000013
【図１２】
2010089869.tif 000014
【国際調査報告】
2010089869.tif 000015
2010089869.tif 000016
2010089869.tif 000017
2010089869.tif 000018